(57)【要約】【課題】０．５ｍｍ以上の厚み寸法を有するリードフレーム素材を用いてリードフレームを製造する場合に、プレス金型のコスト低減や金型調整の時間短縮を図ることができるリードフレームの製造方法を提供する。【解決手段】０．５ｍｍ以上の厚み寸法を有するリードフレーム素材を用いてリードフレームを製造する、リードフレームの製造方法であって、リードフレーム素材に対して、所定のリードフレームパターンを形成する打ち抜き加工を含み、かつ、所定の凹凸を形成する三次元加工を含まないプレス加工を施すプレス加工工程Ｓ２と、リードフレーム素材に対して、化学的な表面処理を施すことにより、リードフレーム素材の表面に凹凸を形成する表面処理工程Ｓ３と、を備える。【選択図】図２
2020202405.tif 000002
【特許請求の範囲】
【請求項１】
パワー系半導体装置用のリードフレームの製造方法であって、
リードフレーム素材に対して、所定の形状のプレス金型を用いて打ち抜き加工を行い、パッド部とリード部とを有するリードフレームパターンを形成し、かつ、所定の凹凸を形成する三次元加工を行わない第１のプレス加工工程と、
前記第１のプレス加工工程を終えた前記リードフレーム素材の表面を部分的にマスキングテープで覆い、前記リードフレーム素材の一部に対してエッチング処理を施すことにより、前記リードフレーム素材の表面の一部に、十点平均粗さが２．０〜６．０μｍである凹凸を形成する表面処理工程と、
前記表面処理工程を終えた前記リードフレーム素材に対して、前記第１のプレス加工工程で用いたプレス金型とは形状の異なるプレス金型を用い、前記パッド部と前記リード部との間に所定の段差を形成する曲げ加工を行う第２のプレス加工工程と、
を備えるリードフレームの製造方法。
【請求項２】
前記第１のプレス加工工程の前に、前記リードフレーム素材の表面を部分的にマスキングテープで覆い、めっき処理を行うことにより、めっき層を前記リードフレーム素材の表面に部分的に形成するめっき処理工程をさらに備える
請求項１に記載のリードフレームの製造方法。
【請求項３】
前記第２のプレス加工工程は、前記表面処理工程を終え樹脂で封止されていない前記リードフレーム素材に対して行う
請求項１または２に記載のリードフレームの製造方法。
【請求項４】
リードフレーム素材に対して、所定の形状のプレス金型を用いて打ち抜き加工を行い、パッド部とリード部とを有するリードフレームパターンを形成し、かつ、所定の凹凸を形成する三次元加工を行わない第１のプレス加工工程と、
前記第１のプレス加工工程を終えた前記リードフレーム素材の表面を部分的にマスキングテープで覆い、前記リードフレーム素材の一部に対してエッチング処理を施すことにより、前記リードフレーム素材の表面に、十点平均粗さが２．０〜６．０μｍである凹凸を形成する表面処理工程と、
前記表面処理工程を終えた前記リードフレーム素材に対して、前記第１のプレス加工工程で用いたプレス金型とは形状の異なるプレス金型を用い、前記パッド部と前記リード部との間に所定の段差を形成する曲げ加工を行う第２のプレス加工工程と、
を備える製造方法により得られたリードフレームを準備する工程と、
前記パッド部に半導体素子を搭載するダイボンディング工程と、
前記半導体素子の電極部と前記リード部とをワイヤで接続するワイヤボンディング工程と、
前記半導体素子と前記ワイヤとを樹脂で封止する樹脂封止工程と、
を備えるパワー系半導体装置の製造方法。
【発明の詳細な説明】
【技術分野】
【０００１】
本発明は、リードフレームの製造方法に関する。
【背景技術】
【０００２】
リードフレームを用いて製造される樹脂封止型の半導体装置では、封止材となる樹脂とリードフレームとの密着性（以下、「樹脂密着性」ともいう。）を向上させるために、リードフレームの表面に凹凸を形成する技術が知られている（たとえば、特許文献１および特許文献２を参照）。
【先行技術文献】
【特許文献】
【０００３】
【特許文献１】特開平５−２１８２７５号公報
【特許文献２】特開平８−７８６０６号公報
【発明の概要】
【発明が解決しようとする課題】
【０００４】
近年においては、たとえば自動車などの車載用途にパワー系の半導体素子をリードフレームに搭載して樹脂封止した半導体装置が提供されている。この種の半導体装置に用いられるリードフレームは、一般の電子デバイス（たとえばパーソナルコンピュータなど）用途の半導体装置に用いられるリードフレームに比べて、厚み寸法が格段に大きいものとなっている。具体的には、一般の電子デバイス用途の半導体装置のリードフレームの厚み寸法が０．１５ｍｍ程度であるのに対して、パワー系半導体装置用のリードフレームの厚み寸法は０．５ｍｍ以上となっている。
【０００５】
厚み寸法が０．５ｍｍ以上のリードフレームでは、樹脂密着性を向上させるために、専らその厚みを利用して凹凸を形成している。具体的には、リードフレーム素材に対して溝加工や潰し加工などの三次元加工を施すことにより凹凸を形成している。
【０００６】
しかしながら、リードフレーム素材に三次元加工によって凹凸を形成する方法では、順送プレス加工法によってリードフレームを製造する場合に、プレスによる打ち抜き加工のためのステージの他に、三次元加工を行うステージを設ける必要がある。このため、プレス金型（順送金型）のコストが高くなってしまう。また、打ち抜き加工に加えて三次元加工を行うとなると、プレス金型を立ち上げる際に、三次元加工に起因するリードフレームの寸法的な狂いを金型の位置調整によって解消する必要がある。このため、金型の調整作業によって生産性の低下を招いてしまう。
【０００７】
本発明の主な目的は、０．５ｍｍ以上の厚み寸法を有するリードフレーム素材を用いてリードフレームを製造する場合に、プレス金型のコスト低減や金型調整の時間短縮を図ることができるリードフレームの製造方法を提供することにある。
【課題を解決するための手段】
【０００８】
本発明の態様は、０．５ｍｍ以上の厚み寸法を有するリードフレーム素材を用いてリードフレームを製造する、リードフレームの製造方法であって、
前記リードフレーム素材に対して、所定のリードフレームパターンを形成する打ち抜き加工を含み、かつ、所定の凹凸を形成する三次元加工を含まないプレス加工を施すプレス加工工程と、
前記リードフレーム素材に対して、化学的な表面処理を施すことにより、前記リードフレーム素材の表面に凹凸を形成する表面処理工程と、
を備えるリードフレームの製造方法である。
【発明の効果】
【０００９】
本発明によれば、０．５ｍｍ以上の厚み寸法を有するリードフレーム素材を用いてリードフレームを製造する場合に、プレス金型のコスト低減や金型調整の時間短縮を図ることができる。
【図面の簡単な説明】
【００１０】
【図１】本発明の実施形態に係るリードフレームの構成例を示す平面図である。
【図２】本発明の実施形態に係るリードフレームの製造方法の一例を示す工程図である。
【発明を実施するための形態】
【００１１】
以下、本発明の実施形態について図面を参照しつつ詳細に説明する。
【００１２】
＜リードフレームの構成＞
図１は本発明の実施形態に係るリードフレームの構成例を示す平面図である。
図示したリードフレーム１は、たとえば銅または銅合金からなるリードフレーム素材を用いて構成されるものである。リードフレーム素材の厚み寸法は、少なくとも０．５ｍｍとする。このような肉厚のリードフレーム素材は、良好な放熱性が要求されるパワートランジスタやパワーＩＣなどの半導体装置のリードフレームに用いられる。
【００１３】
リードフレーム１は、半導体素子（半導体チップ）の搭載が予定されているダイパッド部２と、複数（図例では３つ）のリード部３ａ，３ｂ，３ｃと、を備えている。ダイパッド部２は、平面視四角形（図例では長方形）に形成されている。ダイパッド部２の形状および寸法は、これに搭載される半導体素子の形状および寸法に応じて適宜設定または変更が可能である。ダイパッド部２には基準孔４が設けられている。ダイパッド部２の両側縁には連結部５ａ，５ｂが設けられ、この連結部５ａ，５ｂを介してダイパッド部２が他のダイパッド部（不図示）に連結されている。
【００１４】
一方、リード部３ａ，３ｂ，３ｃは、連結部６ａ，６ｂによって相互に連結されている。両側２つのリード部３ａ，３ｃはダイパッド部２と分離した状態で形成され、中央のリード部３ｂはダイパッド部２に一体につながった状態で形成されている。また、各々のリード部３ａ，３ｂ，３ｃの一端部はフレーム部７に一体につながっている。フレーム部７には送り孔８が設けられている。
【００１５】
上記構成からなるリードフレーム１を用いて半導体装置を製造する場合は、少なくとも３つの工程、すなわちダイボンディング工程と、ワイヤボンディング工程と、樹脂封止工程とを順に経る。ダイボンディング工程では、ダイパッド部２に半導体素子を搭載する。
ワイヤボンディング工程では、半導体素子の電極部とこれに対応するリード部３ａ，３ｃをそれぞれ金属細線からなるワイヤで接続する。樹脂封止工程では、半導体素子とワイヤを樹脂で封止する。
【００１６】
＜リードフレームの製造方法＞
続いて、本発明の実施形態に係るリードフレームの製造方法について説明する。
まず、リードフレーム素材として、たとえば銅または銅合金からなる板状の金属条を用意する。リードフレーム素材は、長尺の金属条であって、たとえばリール状に巻かれた状態で供給される。
【００１７】
本実施形態で使用するリードフレーム素材の厚み寸法は０．５ｍｍ以上とする。また、本実施形態ではリードフレーム素材の厚み寸法を次のように規定する。すなわち、上記金属条が平条である場合は、いずれの箇所でも板厚が一体となる。このため、平条からなるリードフレーム素材の厚み寸法は一義的に決まる。これに対して、上記金属条が異形条である場合は、リードフレーム素材のなかに薄板部分と厚板部分が混在する。そこで、異形条からなるリードフレーム素材の厚み寸法は、厚板部分の厚み寸法で規定するものとする。
【００１８】
次に、上記のリードフレーム素材に対して、図２に示すように、めっき処理工程Ｓ１と、第１のプレス加工工程Ｓ２と、表面処理工程Ｓ３と、第２のプレス加工工程Ｓ４とを順に行う。
【００１９】
（めっき処理工程：Ｓ１）
めっき処理工程Ｓ１では、リードフレーム素材に対して、ダイパッド部２の素子搭載予定領域や、各々のリード部３ａ，３ｂ，３ｃの端部領域（ワイヤ接続予定領域、外部接続予定領域）などを対象に、めっき処理を行う。その際、めっき層を形成する領域を露出し、かつ、めっき層を形成しない領域を被覆するように、リードフレーム素材の表面を部分的にマスキングテープなどで覆い、その状態で所望のめっき浴にリードフレーム素材を浸漬させることにより、たとえばニッケル、パラジウム、銀、金等のめっき層をリードフレーム素材の表面に部分的に形成する。これにより、めっき付きの金属条からなるリードフレーム素材が得られる。
【００２０】
（第１のプレス加工工程：Ｓ２）
第１のプレス加工工程Ｓ２では、リードフレーム素材に対し、プレス金型を用いてプレス加工を施すことにより、上記図１に示すリードフレームパターンを形成する。プレス加工は順送プレス加工法によって行う。順送プレス加工法は、リードフレームの搬送方向に複数のステージを配置し、各々のステージにリードフレームの被加工部を順に送り込むことにより、各々のステージが備えるプレス金型によりプレス加工を行う方法である。
【００２１】
本実施形態においては、第１のプレス加工工程Ｓ２を打ち抜き加工によって行うことにより、所定のリードフレームパターン（ダイパッド部２、リード部３ａ，３ｂ，３ｃなど）を形成する。打ち抜き加工では、適量の加工油をリードフレーム素材に供給する必要がある。このため、第１のプレス加工工程Ｓ２において、打ち抜き加工により所定のリードフレームパターンを形成した後は、リードフレーム素材を脱脂洗浄しておく。脱脂洗浄は、第１のプレス加工工程Ｓ２で行うプレス加工とインライン化することも可能である。
【００２２】
ここで、厚み寸法が０．５ｍｍ以上のリードフレーム素材を用いる場合は、第１のプレス加工工程Ｓ２において、樹脂密着性を向上させるための三次元加工を行うのが一般的であるが、本実施形態では、第１のプレス加工工程Ｓ２で三次元加工は行わない。三次元加工は、リードフレーム素材に対して溝加工や潰し加工などを行うことにより、所定の凹凸を形成するものである。このような三次元加工を第１のプレス加工工程Ｓ２から除外することにより、三次元加工の導入にともなう弊害を避けることができる。ただし、三次元加工を行わないと樹脂密着性を向上させることはできない。そこで、本実施形態においては、第１のプレス加工工程Ｓ２とは別の表面処理工程Ｓ３で樹脂密着性向上のための表面処理を行う。
【００２３】
（表面処理工程：Ｓ３）
表面処理工程Ｓ３では、第１のプレス加工工程Ｓ２を終えたリードフレーム素材に対して、化学的な表面処理を施すことにより、リードフレーム素材の表面に凹凸を形成する。
化学的な表面処理としては、エッチング処理を適用することができる。その場合、リードフレーム素材が銅または銅合金の金属条であれば、硫酸系のエッチング液を用いたエッチング処理により、リードフレーム素材の表面に凹凸を形成することができる。
【００２４】
上記の表面処理は、リードフレーム素材の全面を対象に行ってもよいし、一部を対象に行ってもよい。リードフレーム素材の一部を対象とする場合は、リードフレーム素材の表面を部分的にマスキングテープ等で覆い隠して表面処理を行えばよい。実際に表面処理が施されたリードフレーム素材の表面には細かな凹凸が形成される。この凹凸によるリードフレーム素材の表面粗さは、好ましくは、十点平均粗さ（Ｒｚ）で２．０〜６．０μｍである。
【００２５】
（第２のプレス加工工程：Ｓ４）
第２のプレス加工工程Ｓ４では、表面処理工程Ｓ３を終えたリードフレーム素材に対し、上記第１のプレス加工工程Ｓ２とは形状の異なるプレス金型を用いてプレス加工を施すことにより、長尺状のリードフレーム素材を所定の長さで短冊状に切断する切断加工や、パッド部２とリード部３ａ，３ｂ，３ｃとの間に所定の段差を形成すべくリード部３ａ，３ｂ，３ｃの所定部位を曲げる曲げ加工などを行う。第２のプレス加工工程Ｓ４では、上記第１のプレス加工工程Ｓ２と同様、凹凸形成のための三次元加工は行わない。また、第２のプレス加工工程Ｓ４では、第１のプレス加工工程Ｓ２で必要とされる加工油を使用することなくプレス加工を行う。
【００２６】
ちなみに、リードフレームの最終的な製品形態が、リール状に巻き取られた形態（リール品）の場合は、第２のプレス加工工程Ｓ４を省略する。
【００２７】
＜実施形態の効果＞
本発明の実施形態によれば、以下に記述する１つまたは複数の効果が得られる。
【００２８】
本発明の実施形態においては、厚み寸法が０．５ｍｍ以上のリードフレーム素材を用いてリードフレームを製造する場合に、第１のプレス加工工程Ｓ２では所定のリードフレームパターンを形成する打ち抜き加工は行うが、凹凸形成のための三次元加工は行わず、それとは別の表面処理工程Ｓ３で化学的な表面処理によりリードフレーム素材の表面に凹凸を形成する。これにより、第１のプレス加工工程Ｓ２に三次元加工を導入することで生じる弊害、すなわちプレス金型のコスト増や金型調整にともなう生産性の低下などを避けることができる。
【００２９】
また、本発明の実施形態においては、第１のプレス加工工程Ｓ２を行った後で表面処理工程Ｓ３を行う。このため、第１のプレス加工工程Ｓ２を行う前に表面処理工程Ｓ３を行う場合に比べて、次のような効果が得られる。すなわち、第１のプレス加工工程Ｓ２では、リードフレーム素材に加工油を供給して打ち抜き加工を行う。このため、表面処理工程Ｓ３でリードフレーム素材の表面に凹凸を形成してから第１のプレス加工工程Ｓ２を行うと、リードフレーム素材の表面の凹凸に加工油が入り込み、脱脂洗浄で加工油を除去しづらくなる。これに対して、第１のプレス加工工程Ｓ２の後で表面処理工程Ｓ３を行う場合は、リードフレーム素材の表面が平滑な状態で脱脂洗浄が行われるため、加工油を効率良く除去することができる。
【００３０】
＜変形例等＞
本発明の技術的範囲は上述した実施形態に限定されるものではなく、発明の構成要件やその組み合わせによって得られる特定の効果を導き出せる範囲において、種々の変更や改良を加えた形態も含む。
【００３１】
たとえば、上記実施形態においては、第１のプレス加工工程Ｓ２の前にめっき処理工程Ｓ１を行うものとしたが、これに限らず、第１のプレス加工工程Ｓ２の後、あるいは、表面処理工程Ｓ３の後に、めっき処理工程Ｓ１を行ってもよい。
【符号の説明】
【００３２】
１…リードフレーム
２…ダイパッド部
３ａ，３ｂ，３ｃ…リード部
【図１】
2020202405.tif 000003
【図２】
2020202405.tif 000004